(57)【要約】【課題】ワーキングメモリのサイズが小さい場合であってもファイル管理に係る処理を高速かつ容易に行うことができ、またファイル管理を正しく行うことができるようにする。【解決手段】ＤＳＣ１（又はストレージ２）は、画像記憶部１２（又は１８）に記憶されているファイルを管理情報ファイルを用いて管理するファイル管理装置を有し、その管理情報は、管理対象全体を管理するための主管理情報と管理対象の一部を管理するための副管理情報とからなり、主管理情報ファイルは、副管理情報ファイルへのリンクに係る情報を含むように構成される。【選択図】      図２
2005173853.tif 000002
【特許請求の範囲】
【請求項１】
記憶部に記憶されているファイルを管理情報を用いて管理するファイル管理装置であって、
前記管理情報は、管理対象全体を管理するための主管理情報と前記管理対象の一部を管理するための副管理情報とからなり、
前記主管理情報は、前記副管理情報へのリンクに係る情報を含む、
ことを特徴とするファイル管理装置。
【請求項２】
前記主管理情報を外部装置へ送信する場合に、前記副管理情報へのリンクに係る情報を、前記副管理情報へのリンクを展開した内容に係る情報へ変更して送信する、
ことを特徴とする請求項１記載のファイル管理装置。
【請求項３】
前記記憶部に対しファイナライズを行う場合に、前記主管理情報に含まれる前記副管理情報へのリンクに係る情報を、前記副管理情報へのリンクを展開した内容に係る情報へ変更した後に、前記ファイナライズを行う、
ことを特徴とする請求項１又は２記載のファイル管理装置。
【請求項４】
前記主管理情報、又は、及び、前記副管理情報が、フォルダ又はディレクトリ単位の管理情報である場合は、前記主管理情報、又は、及び、前記副管理情報に係るファイル名を、
当該主管理情報、又は、及び、当該副管理情報に係る、フォルダのフォルダ名又はディレクトリのディレクトリ名と同一にする、
ことを特徴とする請求項１乃至３の何れか一項記載のファイル管理装置。
【請求項５】
請求項１乃至４の何れか一項記載のファイル管理装置を有する、
ことを特徴とする電子カメラ。
【請求項６】
請求項１乃至４の何れか一項記載のファイル管理装置を有する、
ことを特徴とする記憶制御装置。
【請求項７】
少なくとも、光ディスク装置、ハードディスク装置、ＨＤＤレコーダ、ＤＶＤレコーダ、及びＨＤＤ／ＤＶＤレコーダのうちの何れか一つである、
ことを特徴とする請求項６記載の記憶制御装置。
【請求項８】
記憶部に記憶されているファイルを管理情報を用いて管理するファイル管理方法であって、
前記管理情報は、管理対象全体を管理するための主管理情報と前記管理対象の一部を管理するための副管理情報とからなり、
前記主管理情報に前記副管理情報へのリンクに係る情報を含める、
ことを特徴とするファイル管理方法。
【請求項９】
前記主管理情報を外部装置へ送信する場合に、前記副管理情報へのリンクに係る情報を、前記副管理情報へのリンクを展開した内容に係る情報へ変更して送信する、
ことを特徴とする請求項８記載のファイル管理方法。
【請求項１０】
前記記憶部に対しファイナライズを行う場合に、前記主管理情報に含まれる前記副管理情報へのリンクに係る情報を、前記副管理情報へのリンクを展開した内容に係る情報へ変更した後に、前記ファイナライズを行う、
ことを特徴とする請求項８又は９記載のファイル管理方法。
【請求項１１】
前記主管理情報、又は、及び、前記副管理情報が、フォルダ又はディレクトリ単位の管理情報である場合は、前記主管理情報、又は、及び、前記副管理情報に係るファイル名を、
当該主管理情報、又は、及び、当該副管理情報に係る、フォルダのフォルダ名又はディレクトリのディレクトリ名と同一にする、
ことを特徴とする請求項８乃至１０の何れか一項記載のファイル管理方法。
【発明の詳細な説明】
【技術分野】
【０００１】
本発明は、記憶部に記憶されているファイルを管理する装置及び方法に関する。
【背景技術】
【０００２】
従来、電子カメラ等の装置においては、メモリカード等の記録媒体に記録されている画像ファイルの管理を、当該記録媒体に記録されている画像ファイルの関連情報を記述したコントロールファイルを用いて、行う装置がある（例えば特許文献１参照）。この装置においては、記録媒体上のルートディレクトリと各サブディレクトリとに対応してそれぞれコントロールファイルを設け、ルートディレクトリに係るコントロールファイルには、当該記録媒体に記録されている全ての画像ファイルの関連情報を記述するようにし、また各サブディレクトリに係る各コントロールファイルには、当該サブディレクトリに属する画像ファイルの関連情報を記述するようにし、これらのコントロールファイルに基づいて画像ファイルの管理が行われている。
【特許文献１】特許第３２３８４６９号公報
【発明の開示】
【発明が解決しようとする課題】
【０００３】
しかしながら、特許文献１のように、ルートディレクトリに係るコントロールファイルに各サブディレクトリに属する画像ファイルの関連情報までを記述するようにすると、例えば、ワーキングメモリのサイズが小さい電子カメラ等の装置が大容量の記録媒体に記録されている多数の画像ファイルを管理する場合においては、ワーキングメモリのサイズよりも大きいサイズのコントロールファイルを取り扱う蓋然性が高くなり、その際には処理時間が長くなったり処理が複雑になったりする虞があった。
【０００４】
また、記録媒体に記録されている一部の画像ファイルが削除された場合には、ルートディレクトリに係るコントロールファイルに記述された内容と、削除された一部の画像ファイルが属していたサブディレクトリに係るコントロールファイルに記述された内容との両方を修正しなければならず、仮に何れか一方の修正が為されなかった場合には、両コントロールファイル間で不整合が生じ、画像ファイルの管理が正しく為されない虞があった。
【０００５】
本発明は、上記実情に鑑み、ワーキングメモリのサイズが小さい場合であってもファイル管理に係る処理を高速かつ容易に行うことができ、またファイル管理を正しく行うことができる、ファイル管理装置及びファイル管理方法を提供することを目的とする。
【課題を解決するための手段】
【０００６】
上記目的を達成するため、本発明の第１の態様に係るファイル管理装置は、記憶部に記憶されているファイルを管理情報を用いて管理するファイル管理装置であって、前記管理情報は、管理対象全体を管理するための主管理情報と前記管理対象の一部を管理するための副管理情報とからなり、前記主管理情報は、前記副管理情報へのリンクに係る情報を含む、構成である。
【０００７】
上記の構成によれば、主管理情報に含まれる副管理情報へのリンクに係る情報に基づいて副管理情報を参照することができるので、主管理情報に、当該副管理情報に含まれるファイルに関する情報を含ませる必要は無くなり、よって、主管理情報のサイズを小さくすることができる。
【０００８】
本発明の第２の態様に係るファイル管理装置は、前記第１の態様において、前記主管理情報を外部装置へ送信する場合に、前記副管理情報へのリンクに係る情報を、前記副管理情報へのリンクを展開した内容に係る情報へ変更して送信する、構成である。
この構成によれば、外部装置との間で、副管理情報へのリンクを展開するためのデータの送受を行う必要がなくなるので、外部装置での管理情報の取扱いが容易になり、また、副管理情報へのリンクを展開した内容に関する情報を取得するまでの処理時間を短くすることができる。
【０００９】
本発明の第３の態様に係るファイル管理装置は、前記第１又は２の態様において、前記記憶部に対しファイナライズを行う場合に、前記主管理情報に含まれる前記副管理情報へのリンクに係る情報を、前記副管理情報へのリンクを展開した内容に係る情報へ変更した後に、前記ファイナライズを行う、構成である。
【００１０】
この構成によれば、ファイナライズが行われた後は、副管理情報ファイルへのリンクを展開するための処理を必要としないので、ファイル管理装置での管理情報の取扱いが容易になり、また、副管理情報へのリンクを展開した内容に関する情報を取得するまでの処理時間を短くすることができる。
【００１１】
本発明の第４の態様に係るファイル管理装置は、前記第１乃至第３の何れか一つの態様において、前記主管理情報、又は、及び、前記副管理情報が、フォルダ又はディレクトリ単位の管理情報である場合は、前記主管理情報、又は、及び、前記副管理情報に係るファイル名を、当該主管理情報、又は、及び、当該副管理情報に係る、フォルダのフォルダ名又はディレクトリのディレクトリ名と同一にする、構成である。
【００１２】
この構成によれば、主管理情報に係るファイル名又は及び副管理情報に係るファイル名と、対応するフォルダのフォルダ名又はディレクトリのディレクトリ名とが同一になるので、管理情報の取扱いが容易になる。
また、本発明は、上記のファイル管理装置に限らず、ファイル管理方法として構成することもでき、また、上記のファイル管理装置を有する電子カメラ，記憶制御装置として構成することもできる。
【発明の効果】
【００１３】
本発明によれば、主管理情報と副管理情報との間でファイル管理に係る情報の重複が無いので、個々の管理情報のサイズが小さくて済み、ワーキングメモリのサイズが小さい場合であってもファイル管理に係る処理を高速且つ容易に行うことができ、また、管理情報の変更は何れか１つのみに対して行えば済むので、ファイル管理を容易且つ正しく行うことができる。
【発明を実施するための最良の形態】
【００１４】
以下、本発明の実施例を図面を参照しながら説明する。
図１は、本発明の一実施例に係るシステムの構成例を示した図である。
同図のシステムは、ファイル管理装置を備えた電子カメラであるＤＳＣ１とファイル管理装置を備えた記憶制御装置であるストレージ（Ｓｔｏｒａｇｅ）２とを有し、両者がＩ／Ｆ（インターフェイス）３を介して接続されている。ここで、ストレージ２は、例えば光ディスク装置、ハードディスク装置、ＨＤＤ（ Hard Disk Drive ）レコーダ、ＤＶＤ（ Digital Versatile Disc ）レコーダ、或いはＨＤＤ／ＤＶＤレコーダ（ＨＤＤとＤＶＤのハイブリッドレコーダ）等である。Ｉ／Ｆ３は、例えばＵＳＢ（ Universal Serial Bus ）等の有線によるもの、或いはＢｌｕｅｔｏｏｔｈ（登録商標）等の無線によるものである。
【００１５】
ＤＳＣ１は、必要に応じて、Ｉ／Ｆ４を介して外部制御装置としてのＰＣ（パーソナルコンピュータ）６と接続することができるようになっている。また、ストレージ２も、必要に応じて、Ｉ／Ｆ５を介して外部制御装置としてのＰＣ７と接続することができるようになっている。Ｉ／Ｆ４とＩ／Ｆ５は、Ｉ／Ｆ３と同様に、例えばＵＳＢ等の有線によるもの、或いはＢｌｕｅｔｏｏｔｈ（登録商標）等の無線によるものである。
【００１６】
図２は、ＤＳＣ１とストレージ２のブロック図である。
ＤＳＣ１は、当該ＤＳＣ１を制御するための制御プログラムや処理に必要なデータが予め格納されているＲＯＭ８と、ＲＯＭ８に記憶されている制御プログラムを読み出し実行することによって当該ＤＳＣ１全体の動作を制御するＣＰＵ９と、画像処理中の画像データ等の一時保存用として或いはＣＰＵ９による制御処理の実行のためのワークエリア等として使用されるＲＡＭ１０と、画像データに係る画像やユーザが選択可能な項目等を表示するＬＣＤ部１１と、画像データを含む画像ファイルや後述の管理情報ファイル等の各種ファイルが記憶される画像記憶部１２と、画像記憶部１２に記憶されているファイルの管理を行うファイル管理部１３と、各種のボタンやスイッチを備えユーザからの各種指示を受け付けそれをＣＰＵ９へ通知する選択／決定ボタン部１４等を有する。また、不図示ではあるが、ＤＳＣ１はＩ／Ｆ３，４に対応するＩ／Ｆ部をそれぞれ備え、接続相手となる装置との間でデータの送受を行う。また、その他、電子カメラが一般に有する種々の機能に係る構成を備えている。
【００１７】
一方、ストレージ２は、当該ストレージ２を制御するための制御プログラムや処理に必要なデータが予め格納されているＲＯＭ１５と、ＲＯＭ１５に記憶されている制御プログラムを読み出し実行することによって当該ストレージ２全体の動作を制御するＣＰＵ１６と、ＣＰＵ１６による制御処理の実行のためのワークエリア等として使用されるＲＡＭ１７と、画像データを含む画像ファイルや後述の管理情報ファイル等の各種ファイルが記憶される画像記憶部１８と、画像記憶部１８に記憶されているファイルの管理を行うファイル管理部１９等を有する。また、不図示ではあるが、ストレージ２はＩ／Ｆ３，５に対応するＩ／Ｆ部をそれぞれ備え、接続相手となる装置との間でデータの送受を行う。
【００１８】
尚、ＤＳＣ１とストレージ２において、ＤＳＣ１が有する画像記録部１２とストレージ２が有する画像記憶部１８は、固定型のものであっても良く、或いは交換型のものであっても良い。例えば、交換型のものである場合、画像記憶部１２はメモリカード等であり、画像記憶部１８はＣＤ−Ｒ等である。
【００１９】
図３は、ＤＳＣ１の背面外観図である。
同図に示したように、ＤＳＣ１の上面には、撮影指示を行うためのレリーズボタン２０と、各種の動作モードを設定するためのダイヤルスイッチ２１等が設けられている。
ＤＳＣ１の背面には、ファインダー部２２と、電源のＯＮ／ＯＦＦ指示を行うためのパワーボタン２３と、一つ又は複数の画像や各種選択項目を表示するＬＣＤ２４（ＬＣＤ部１１又はＬＣＤ部１１の一部）と、ＬＣＤ２４に表示されている画像や項目を選択するための上下左右ボタン２５（２５ａ，２５ｂ，２５ｃ，２５ｄ）と、上下左右ボタン２５により選択された画像や項目を決定するためのＯＫボタン２６等が設けられている。
【００２０】
尚、同図においては、ＬＣＤ２４に、画像記憶部１２に記憶されている画像ファイルに係る３×４コの画像（サムネイル画像でもある）と、選択項目である、コピー指示を行うためのコピーボタン２７，設定指示を行うための設定ボタン２８とが表示されている。ここで、例えば、ユーザが上下左右ボタン２５とＯＫボタン２６を操作して、表示されている画像の中から所望の画像を選択しコピー指示を行うと、後述のコピー動作が行われることになる。
【００２１】
このような構成のＤＳＣ１とストレージ２において、両者は、互いに相手側のファイルシステムを認識することができないようになっている。これは、両者が、Ｉ／Ｆ３を介して、ファイル，フォルダ等に関する情報やファイル等の送受は行うものの、各々の画像記憶部１２，１８におけるファイルの読み出しや書き込みは各々のファイル管理部１３，１９が行うようになっているので（図２の両矢印Ａ，Ａ´）、互いに相手側の画像記憶部１２又は１８にアクセスすることができないことによるものである。但し、ＤＳＣ１とＰＣ６がＩ／Ｆ４を介して接続された場合には、ＰＣ６がファイル管理部１３を通じずにＣＰＵ９を通じて、画像記憶部１２のファイルシステムを直接制御することができるようになっており（図２の両矢印Ｂ）、また、ストレージ２も同様に、ストレージ２とＰＣ７がＩ／Ｆ５を介して接続された場合には、ＰＣ７がファイル管理部１９を通じずにＣＰＵ１６を通じて、画像記憶部１８のファイルシステムを直接制御することができるようになっている（図２の両矢印Ｂ´）。
【００２２】
ここで、ＤＳＣ１のファイル管理部１３により行われるファイル管理と、ストレージ２のファイル管理部１９により行われるファイル管理は、何れも同様の手法によって行われるものであり、何れも、管理対象全体を管理するための主管理情報である主管理情報ファイルと管理対象の一部を管理するための副管理情報である副管理情報ファイル（後述の結合管理情報ファイルを含む）を用いて行われる。尚、主管理情報ファイルは、副管理情報ファイルへのリンクに係る情報を含むものである。
【００２３】
すなわち、ＤＳＣ１のファイル管理部１３により行われるファイル管理は、ＣＰＵ９の制御の下、ファイルシステムを制御して、画像記憶部１２上の主管理情報や副管理情報又は管理対象となるファイルにアクセスを行うものであり、また、ストレージ２のファイル管理部１９により行われるファイル管理は、ＣＰＵ１６の制御の下、ファイルシステムを制御して、画像記憶部１８上の主管理情報や副管理情報又は管理対象となるファイルにアクセスを行うものであり、何れも、管理対象となるファイルの追加や削除又は移動等が発生した場合は、対応する主管理情報又は副管理情報（後述の副管理情報ファイルを含む）の更新を行うものである。
【００２４】
本実施例においては、主管理情報ファイルが、ルートフォルダ（ルートディレクトリともいう）に対応して作成され、また、副管理情報ファイルが、サブフォルダ（サブディレクトリともいう）毎に対応して作成されるものとする。
主管理情報ファイルには、ルートフォルダ下の階層のみに属するファイルと当該主管理情報ファイルのリンク先となる副管理情報ファイルへのリンク等とに関する情報が記述され、副管理情報ファイルには、当該副管理情報ファイルに係るサブフォルダ下の階層のみに属するファイルと当該副管理情報ファイルのリンク元又は及びリンク先となる主管理情報ファイル又は及び副管理情報ファイルへのリンク等とに関する情報が記述されるものである。従って、主管理情報ファイルにはルートフォルダ下の階層以外の階層に属するファイルに関する情報、すなわちサブフォルダ下の階層に属するファイルに関する情報は記述されず、また副管理情報ファイルには当該副管理情報ファイルに係るサブフォルダ下の階層以外の階層に属するファイルに関する情報は記述されないものである。また、主管理情報ファイルに記述されたファイルに関する情報は、ルートフォルダ下の階層においてファイルの追加又は削除があると、それに応じて追加又は削除され、また副管理情報ファイルに記述されたファイルに関する情報は、当該副管理情報ファイルに係るサブフォルダ下の階層においてファイルの追加又は削除があると、それに応じて追加又は削除されるものである。
【００２５】
以下、上述の管理情報ファイルを用いたファイル管理に係る動作について詳細に説明する。
尚、以下に説明する動作において、ＤＳＣ１にて行われる動作は、ＣＰＵ９がＲＯＭ８に記憶されている制御プログラムを読み出し実行することによって行われる動作であり、ストレージ２にて行われる動作は、ＣＰＵ１６がＲＯＭ１５に記憶されている制御プログラムを読み出し実行することによって行われる動作である。
【００２６】
まず、ファイル管理に係る動作の一つである第１の動作として、ＤＳＣ１にて行われる、撮影画像に係る画像ファイル等の保存先選択に係る動作と選択した保存先へそれを保存する撮影動作とについて説明する。
尚、本説明では、説明の便宜のため、まず、第１の動作が行われた結果を説明し、続いて第１の動作の内容を具体的に説明する。
【００２７】
図４は、第１の動作が行われた後の画像記憶部１２に記憶されているファイルの階層構造を示した図である。
同図において、網掛部分は、サブフォルダ「１０２ＯＬＹＭＰ」下の階層に、新規にサブフォルダ「１０２ＯＬＳＵＢ」を作成させ、撮影した動画像に係る画像ファイル（「Ｐ７２７０００２．ＭＯＶ」）を、その「１０２ＯＬＳＵＢ」下の階層へ保存させるべく第１の動作が行われた結果、追加された部分である。
【００２８】
尚、ルートフォルダ下の階層に属する「ＭＥＤＩＡ．ＭＭＩ」は、ルートフォルダに対応して作成された主管理情報ファイルを示し、サブフォルダ「ＤＣＩＭ」，「１００ＯＬＹＭＰ」，「１０１ＯＬＹＭＰ」，「１０２ＯＬＹＭＰ」下の階層に属する「ＤＣＩＭ．ＳＭＩ」，「１００ＯＬＹＭＰ．ＳＭＩ」，「１０１ＯＬＹＭＰ．ＳＭＩ」，「１０２ＯＬＹＭＰ．ＳＭＩ」は、それらのサブフォルダの各々に対応して作成された副管理情報ファイルを示し、サブフォルダ「１０２ＯＬＳＵＢ」下の階層に属する「１０２ＯＬＳＵＢ．ＣＭＩ」は、そのサブフォルダに対応して作成された結合管理情報ファイル（副管理情報ファイルでもある）を示している。
【００２９】
尚、結合管理情報ファイルとは、一つのサブフォルダ（或いはルートフォルダであっても良い）において、例えば管理可能なファイル数を超えてしまう場合や連続撮影（いわゆる連写）に係る画像ファイルのように複数のファイルを同一のフォルダで管理しようとする場合等に、そのサブフォルダ下に作成されるフォルダに対応して作成される副管理情報ファイルのことをいう。
【００３０】
また、その他、「＊．ＪＰＧ」は静止画像ファイルを、「＊．ＭＯＶ」は動画像ファイルを、「＊．ＷＡＶ」は音声ファイルを示している。また、「Ｆｉｌｅ  ＩＤ」は、ストレージ２或いはＰＣ６との間でファイルやフォルダに関する情報の送受が行われる際に使用されるものであって、ファイル又はフォルダに１対１に対応して付されるものである。
【００３１】
図５は、前述の主管理情報ファイルである「ＭＥＤＩＡ．ＭＭＩ」に記述されている内容を示した図である。
同図に示したように、この主管理情報ファイルには、当該主管理情報ファイルのファイル名として「ＭＥＤＩＡ．ＭＭＩ」、タイトルとして「メディア全体」、ルートフォルダ下の階層のみに属するファイルに関する情報（ここではファイル名）として静止画像（Ｓｔｉｌｌ）に係る「Ｐ７２４０００１．ＪＰＧ」、及び当該主管理情報ファイルのリンク先となる副管理情報ファイルへのリンクとして「ＤＣＩＭ￥ＤＣＩＭ．ＳＭＩ」が記述されている。
【００３２】
図６(a),(b),(c),(d) は、前述の副管理情報ファイルに記述されている内容を示した図、同図(e) は、前述の結合管理情報ファイルに記述されている内容を示した図である。尚、同図(d) の網掛部分と同図(e) の結合管理情報ファイルは、第１の動作が行われた結果、追加されたものである。
【００３３】
同図(a) は、副管理情報ファイルである「ＤＣＩＭ．ＳＭＩ」に記述されている内容を示した図である。
同図(a) に示したように、この副管理情報ファイルには、当該副管理情報ファイルのファイル名として「ＤＣＩＭ．ＳＭＩ」、タイトルとして「メディアサブ１」、当該副管理情報ファイルのリンク元となる親管理情報ファイルへのリンクとして「．．￥ＭＥＤＩＡ．ＭＭＩ」、及び当該副管理情報ファイルのリンク先となる副管理情報ファイルへのリンクとして「１００ＯＬＹＭＰ￥１００ＯＬＹＭＰ．ＳＭＩ」，「１０１ＯＬＹＭＰ￥１０１ＯＬＹＭＰ．ＳＭＩ」，「１０２ＯＬＹＭＰ￥１０２ＯＬＹＭＰ．ＳＭＩ」が記述されている。
【００３４】
同図(b) は、副管理情報ファイルである「１００ＯＬＹＭＰ．ＳＭＩ」に記述されている内容を示した図である。
同図(b) に示したように、この副管理情報ファイルには、当該副管理情報ファイルのファイル名として「１００ＯＬＹＭＰ．ＳＭＩ」、タイトルとして「メディアサブ２」、当該副管理情報ファイルのリンク元となる親管理情報ファイルへのリンクとして「．．￥ＤＣＩＭ．ＳＭＩ」、及び当該副管理情報ファイルに係るサブフォルダ「１００ＯＬＹＭＰ」下の階層に属するファイルに関する情報（ここではファイル名）として静止画像に係る「Ｐ７２５０００１．ＪＰＧ」，「Ｐ７２５０００２．ＪＰＧ」が記述されている。
【００３５】
同図(c) は、副管理情報ファイルである「１０１ＯＬＹＭＰ．ＳＭＩ」に記述されている内容を示した図である。
同図(c) に示したように、この副管理情報ファイルには、当該副管理情報ファイルのファイル名として「１０１ＯＬＹＭＰ．ＳＭＩ」、タイトルとして「メディアサブ３」、当該副管理情報ファイルのリンク元となる親管理情報ファイルへのリンクとして「．．￥ＤＣＩＭ．ＳＭＩ」、及び当該副管理情報ファイルに係るサブフォルダ「１０１ＯＬＹＭＰ」下の階層に属するファイルに関する情報（ここではファイル名）として音声付静止画像（Ｓｔｉｌｌ＆Ａｕｄｉｏ）に係る「Ｐ７２６０００１．ＪＰＧ」及び「Ｐ７２６０００１．ＷＡＶ」が記述されている。
【００３６】
同図(d) は、副管理情報ファイルである「１０２ＯＬＹＭＰ．ＳＭＩ」に記述されている内容を示した図である。
同図(d) に示したように、この副管理情報ファイルには、当該副管理情報ファイルのファイル名として「１０２ＯＬＹＭＰ．ＳＭＩ」、タイトルとして「メディアサブ４」、当該副管理情報ファイルのリンク元となる親管理情報ファイルへのリンクとして「．．￥ＤＣＩＭ．ＳＭＩ」、当該副管理情報ファイルに係るサブフォルダ「１０２ＯＬＹＭＰ」下の階層に属するファイルに関する情報（ここではファイル名）として動画像（Ｍｏｖｉｅ）に係る「Ｐ７２７０００１．ＭＯＶ」、及び当該副管理情報ファイルのリンク先となる結合管理情報ファイルへのリンクとして「１０２ＯＬＳＵＢ．ＣＭＩ」が記述されている。尚、この結合管理情報ファイルへのリンクは、前述の第１の動作が行われることによって追加されたものである。
【００３７】
同図(e) は、結像管理情報ファイルである「１０２ＯＬＳＵＢ．ＣＭＩ」に記述されている内容を示した図であり、前述の第１の動作が行われることによって追加されたものである。
同図(e) に示したように、この結合管理情報ファイルには、当該結合管理情報ファイルのファイル名として「１０２ＯＬＳＵＢ．ＣＭＩ」、タイトルとして「メディアサブ４結合１」、当該結合管理情報ファイルのリンク元となる親管理情報ファイルへのリンクとして「．．￥１０２ＯＬＹＭＰ．ＳＭＩ」、及び当該結合管理情報ファイルに係るサブフォルダ「１０２ＯＬＳＵＢ」下の階層に属するファイルに関する情報（ここではファイル名）として動画像（Ｍｏｖｉｅ）に係る「Ｐ７２７０００２．ＭＯＶ」が記述されている。
【００３８】
ここで、同図(d) に示した副管理情報ファイル「１０２ＯＬＹＭＰ．ＳＭＩ」は、同図(e) に示した結合管理情報ファイル「１０２ＯＬＳＵＢ．ＣＭＩ」に対する主管理情報ファイルとなり、「１０２ＯＬＳＵＢ．ＣＭＩ」は、「１０２ＯＬＹＭＰ．ＳＭＩ」に対する副管理情報ファイルとなる。
【００３９】
親管理情報ファイルと副管理情報ファイルへのリンクは、相対パスで記述したが、絶対パスで記述するようにしても良い。
尚、これらの管理情報ファイルに記述されたタイトルは、ＤＳＣ１が自動的に或いはユーザの指示に応じて作成したものであり、必要に応じて、変更することができるようになっている。
【００４０】
また、前述の主管理情報ファイルにおいて、当該主管理情報ファイルに記述された副管理情報ファイルへのリンクは、ＤＳＣ１が、当該リンクに基づいて、当該リンクを展開した内容に置き換えて記述することができ、更に、その内容を図４に示した「Ｆｉｌｅ  ＩＤ」に置き換えて記述することもできるようになっている。
【００４１】
図７(a) は、リンクを展開した内容に置き換えて記述した、主管理情報ファイルである「ＭＥＤＩＡ．ＭＭＩ」の記述内容を示した図であり、同図(b) は、その内容を更に「Ｆｉｌｅ  ＩＤ」に置き換えて記述した、「ＭＥＤＩＡ．ＭＭＩ」の記述内容を示した図である。但し、同図(a),(b) においては、ファイル名及びタイトルを省略して示している。
【００４２】
例えば、同図(a) の「１００ＯＬＹＭＰ￥Ｐ７２５００１．ＪＰＧ」は、まず図５に示した「ＭＥＤＩＡ．ＭＭＩ」に記述されている副管理情報ファイルへのリンクである「ＤＣＩＭ￥ＤＣＩＭ．ＳＭＩ」を辿り、続いて図６(a) に示した「ＤＣＩＭ．ＳＭＩ」に記述されている副管理情報ファイルへのリンクである「１００ＯＬＹＭＰ￥１００ＯＬＹＭＰ．ＳＭＩ」を辿り、続いて同図(b) に示した「１００ＯＬＹＭＰ．ＳＭＩ」に記述されている「Ｐ７２５００１．ｊｐｇ」から、得られたものである。また、この「１００ＯＬＹＭＰ￥Ｐ７２５００１．ＪＰＧ」は、図４に示した「Ｆｉｌｅ  ＩＤ」との対応から、図７(b) に示したように、「０００００００７」に置き換えて記述することもできる。
【００４３】
図７(a) に示したその他のリンクについても同様にして得られ、また、それぞれ同図(b) に示したように「Ｆｉｌｅ  ＩＤ」に置き換えて記述することもできる。
続いて、第１の動作の内容を、図８(a),(b),(c) と図９を用いて具体的に説明する。
図８(a) は、撮影画像に係る画像ファイル等の保存先選択に係る動作である、フォルダ作成・選択（１）の動作を示すフローチャートであり、同図(b),(c) は、本動作中にＬＣＤ２４に表示される表示画面の一例を示した図である。
【００４４】
同図(a) に示したように、本動作では、まず、画像記憶部１２上のフォルダ（フォルダ名）とその他の選択項目をＬＣＤ２４に表示する（Ｓ１）。但し、本実施例においては、ＤＳＣ１がＤＣＦ（ Design rule for Camera File system ）に準拠したものとして、撮影した画像に係る画像ファイル等を「ＤＣＩＭ」下の階層のサブフォルダ下の階層に保存するものとし、Ｓ１では、表示するフォルダとして「ＤＣＩＭ」下の階層のサブフォルダがＬＣＤ２４に表示される。
【００４５】
ここで、ＬＣＤ２４に表示された、サブフォルダとその他の選択項目の一例を同図(b) に示す。同図(b) に示したように、「ＤＣＩＭ」下の階層のサブフォルダが表示されると共に、その他の選択項目として「．」，「．．」，「フォルダ作成」が表示される。ここで、「．」は現フォルダ（サブフォルダ「ＤＣＩＭ」）を選択するための項目、「．．」は上位フォルダ（ルートフォルダ）を選択するための項目、「１００ＯＬＹＭＰ」、「１０１ＯＬＹＭＰ」、「１０２ＯＬＹＭＰ」は、各フォルダを選択又は移動するための項目で、下位にサブフォルダが無ければ選択、有れば移動を行い、「フォルダ作成」は新規にフォルダを作成し該作成したフォルダを選択するための項目である。尚、四角で囲まれた項目は、選択対象として指示されている項目を示している。
【００４６】
続いて、ユーザの選択指示により特定のフォルダが選択されたか否かを判定する（Ｓ２）。ここで、ユーザの選択指示は、上下左右ボタン２５の操作により、ＬＣＤ２４に表示されているフォルダの中から所望のフォルダが指示され、ＯＫボタン２５の操作により、指示されているフォルダが選択されることにより行われる。尚、ＤＳＣ１の電源投入直後においては、フォルダ名の上位３桁の数字の最も大きいフォルダが、選択対象として指示されるようになっている。
【００４７】
Ｓ２の判定結果がＹｅｓの場合には、ここで選択されたフォルダを作業フォルダとして選択し（Ｓ３）、本フローを終了する。
一方、Ｓ２の判定結果がＮｏの場合には、続いて、ユーザのフォルダ作成指示が行われたか否かを判定し（Ｓ４）、その判定結果がＹｅｓの場合には、ユーザのフォルダ作成指示に応じたフォルダを作成し該作成したフォルダを作業フォルダとして選択し（Ｓ５）、Ｓ４の判定結果がＮｏの場合には、処理がＳ２へ戻る。
【００４８】
本例の場合は、サブフォルダ「１０２ＯＬＹＭＰ」下の階層に新規にサブフォルダ「１０２ＯＬＳＵＢ」を作成させ、その「１０２ＯＬＳＵＢ」下の階層に、撮影した動画像に係る画像ファイルを保存させるため、同図(b) の表示画面においては「フォルダ作成」が指示・選択される。この「フォルダ作成」が指示・選択されると、同図(c) に示したように、フォルダ作成先となるフォルダがＬＣＤ２４に表示される。本例では、「１０２ＯＬＹＭＰ」下の階層に新規に「１０２ＯＬＳＵＢ」を作成させるため、「１０２ＯＬＹＭＰ」が指示・選択される。これにより、「１０２ＯＬＹＭＰ」下の階層に「１０２ＯＬＳＵＢ」が作成され、これが作業フォルダとして選択される。
【００４９】
Ｓ５の後は、続いて、Ｓ５で作成されたフォルダが「＊＊＊ＯＬＹＭＰ」下の階層に作成されたものであるか否かを判定する（Ｓ６）。
Ｓ６の判定結果がＹｅｓの場合には、Ｓ５で作成されたフォルダ下の階層に結合管理情報ファイルを作成し（Ｓ７）、当該結合管理情報ファイルのリンク元となる親管理情報ファイルに当該結合管理情報ファイルへのリンクを追記し（Ｓ８）、本フローを終了する。
【００５０】
本例の場合は、「１０２ＯＬＹＭＰ」下の階層に「１０２ＯＬＳＵＢ」が作成されたことから、Ｓ６の判定結果がＹｅｓとなり、「１０２ＯＬＳＵＢ」下の階層に結合管理情報ファイルである「１０２ＯＬＳＵＢ．ＣＭＩ」が作成され、「１０２ＯＬＳＵＢ．ＣＭＩ」のリンク元となる親管理情報ファイルである「１０２ＯＬＹＭＰ．ＳＭＩ」に当該結合管理情報ファイルへのリンクである「１０２ＯＬＳＵＢ．ＣＭＩ」が追記される。
【００５１】
一方、Ｓ６の判定結果がＮｏの場合には、Ｓ５で作成されたフォルダ下の階層に副管理情報ファイルを作成し（Ｓ９）、当該副管理情報ファイルのリンク元となる親管理情報ファイルに当該副管理情報ファイルへのリンクを追記し（Ｓ１０）、本フローを終了する。
図９は、選択した保存先へ撮影画像等を保存する撮影動作を示すフローチャートである。
【００５２】
本動作では、まず、ユーザによりレリーズボタン２０が押下されると撮影を行い、撮影により得たファイル（静止画像ファイルや動画像ファイル等）を、前述のＳ３又はＳ５で選択された作業フォルダ下の階層に記憶する（Ｓ１１）。
本例の場合は、作業フォルダとして選択された「１０２ＯＬＳＵＢ」下の階層に、撮影した動画像に係る画像ファイル（「Ｐ７２７０００２．ＭＯＶ」）が記憶（保存）される。
【００５３】
続いて、前述のＳ７又はＳ９で作業フォルダ下の階層に作成された結合管理情報ファイル又は副管理情報ファイルに、Ｓ１１で作成された画像ファイルに関する情報（ここではファイル名）を追記し（Ｓ１２）、本フローを終了する。
本例の場合は、結合管理情報ファイルである「１０２ＯＬＳＵＢ．ＣＭＩ」に「Ｐ７２７０００２．ＭＯＶ」のファイル名が追記される。
【００５４】
このように、第１の動作が行われることによって、保存先のフォルダに係る管理情報ファイルに、撮影した画像に係る画像ファイル等に関する情報が追記され、また、その管理情報ファイルのリンク元となる親管理情報ファイルに、その管理情報ファイルへのリンクが追記される。
【００５５】
本例では、主管理情報ファイル、副管理情報ファイル、及び結合管理情報ファイルは、対応するフォルダと１対１で対応しているが、一つの管理情報ファイルを用いて一つのフォルダの一部ファイルのみを管理しても良いし、一つの管理情報ファイルを用いて複数のフォルダの全て又は一部のファイルを管理するようにしても良いし、複数の管理情報ファイルを用いて一つのフォルダのファイルを分担して管理するようにしても良い。
【００５６】
また、本例では一つの主管理情報ファイルを用いて全ての管理対象ファイルを管理しているが、複数の主管理情報ファイルを用いて全ての管理対象ファイルを管理するようにしても良い。その場合、複数の主管理情報ファイル間で管理対象ファイルが重複しないようにしても、重複しても構わない。
【００５７】
また、主管理情報ファイル、副管理情報ファイル、及び結合管理情報ファイルの拡張子は、各々別のものを使用しているが、全て同じでも良い。
また、管理対象ファイルのファイル種類は、テキストファイル等の本例で示した以外のファイル種別でも良い。
【００５８】
また、副管理情報ファイルに、親（主）管理情報ファイルへのリンクが記述されているので、副管理情報ファイルを用いて管理するファイル／フォルダが削除されて副管理情報ファイルを削除する場合や、副管理情報ファイルの保存位置を変更する場合に、変更対象とする親（主）管理情報ファイルが容易にわかる。
【００５９】
また、副管理情報ファイル名とフォルダ名とが同一なので、親（主）管理情報ファイルに記述される副管理情報ファイルへのリンクとして、副管理情報ファイルに係るフォルダ名のみを記述するようにしても良い。
また、副管理情報ファイル名とフォルダ名とが同一なので、副管理情報ファイルをルートフォルダや他のフォルダ等に一箇所にまとめて管理するようにしても、ファイルの追加／削除／移動を行ったフォルダと修正する管理情報ファイルとを容易に関連付けることができる。管理情報ファイルをルートフォルダやルートフォルダ下の別のフォルダでまとめて管理することで、ＤＣＦ規格のフォルダ内に通常のＤＳＣが再生表示できない管理情報ファイルが含まれることを避けることができる。また管理情報ファイルの検索が容易になる。
【００６０】
次に、管理情報ファイルを用いたファイル管理に係る動作の一つである第２の動作として、ＤＳＣ１の画像記憶部１２に記憶されているファイルをストレージ２の画像記憶部１８へコピーする場合の動作について説明する。
尚、本説明では、説明の便宜のため、まず、第２の動作が行われた結果を説明し、続いて、第２の動作の内容を具体的に説明する。
【００６１】
図１０は、第２の動作が行われた後の画像記憶部１８に記憶されているファイルの階層構造を示した図である。
同図において、網掛部分は、サブフォルダ「運動会」下の階層に、新規にサブフォルダ「平成１５年」を作成させ、その「平成１５年」に、画像記憶部１２に記憶されている音声付画像に係る「Ｐ７２６０００１．ＪＰＧ」と「Ｐ７２６０００１．ＷＡＶ」（図４参照）をコピーさせるべく第２の動作が行われた結果、追加されたものである。
【００６２】
尚、ルートフォルダ下の階層に属する「ＭＥＤＩＡ．ＭＭＩ」は、ルートフォルダに対応して作成された主管理情報ファイルを示し、サブフォルダ「入学式」，「運動会」，「平成１４年」，「平成１５年」下の階層の各々に属する「ＭＥＤＩＡＳＵＢ．ＳＭＩ」は、それらのサブフォルダの各々に対応して作成された副管理情報ファイルを示している。ここで、画像記憶部１８においては、このように全ての副管理情報ファイルが同一のファイル名で作成されるものである。
【００６３】
また、「Ｆｉｌｅ  ＩＤ」は、ＤＳＣ１或いはＰＣ７との間でファイルやフォルダに関する情報の送受が行われる際に使用されるものであって、ファイル又はフォルダに１対１に対応して付されるものである。
図１１は、前述の主管理情報ファイルである「ＭＥＤＩＡ．ＭＭＩ」に記述されている内容を示した図である。
【００６４】
同図に示したように、この主管理情報ファイルには、当該主管理情報ファイルのファイル名として「ＭＥＤＩＡ．ＭＭＩ」、タイトルとして「メディア全体」、及び当該主管理情報ファイルのリンク先となる副管理情報ファイルへのリンクとして「入学式」，「運動会」が記述されている。
【００６５】
尚、画像記憶部１８においては、全ての副管理情報ファイルのファイル名が同一であることから、副管理情報ファイルへのリンクを、当該副管理情報ファイルに係るサブフォルダのフォルダ名を用いて記述するようにしている。
図１２(a),(b),(c),(d) は、前述の副管理情報ファイルに記述されている内容を示した図である。尚、同図(b) の網掛部分と同図(d)の副管理情報ファイルとは、第２の動作が行われた結果、追加されたものである。
【００６６】
同図(a) は、サブフォルダ「入学式」に係る副管理情報ファイルである「ＭＥＤＩＡＳＵＢ．ＳＭＩ」に記述されている内容を示した図である。
同図(a) に示したように、この副管理情報ファイルには、当該副管理情報ファイルのファイル名として「ＭＥＤＩＡＳＵＢ．ＳＭＩ」、タイトルとして当該副管理情報ファイルに係るサブフォルダのフォルダ名「入学式」、当該副管理情報ファイルのリンク元となる親管理情報ファイルへのリンクとして「．．￥ＭＥＤＩＡ．ＭＭＩ」、及び当該副管理情報ファイルに係るサブフォルダ「入学式」下の階層のみに属するファイルに関する情報（ここではファイル名）として静止画像（Ｓｔｉｌｌ）に係る「Ｐ４１００００１．ＪＰＧ」と「Ｐ４１００００２．ＪＰＧ」が記述されている。
【００６７】
同図(b) は、サブフォルダ「運動会」に係る副管理情報ファイルである「ＭＥＤＩＡＳＵＢ．ＳＭＩ」に記述されている内容を示した図である。
同図(b) に示したように、この副管理情報ファイルには、当該副管理情報ファイルのファイル名として「ＭＥＤＩＡＳＵＢ．ＳＭＩ」、タイトルとして当該副管理情報ファイルに係るサブフォルダのフォルダ名「運動会」、当該副管理情報ファイルのリンク元となる親管理情報ファイルへのリンクとして「．．￥ＭＥＤＩＡ．ＭＭＩ」、及び当該副管理情報ファイルへのリンク先となる副管理情報ファイルへのリンクとして「平成１４年」と「平成１５年」とが記述されている。尚、副管理情報ファイルへのリンクとしての「平成１５年」は、前述の第２の動作が行われた結果、追加されたものである。
【００６８】
同図(c) は、サブフォルダ「平成１４年」に係る副管理情報ファイルである「ＭＥＤＩＡＳＵＢ．ＳＭＩ」に記述されている内容を示した図である。
同図(c) に示したように、この副管理情報ファイルには、当該副管理情報ファイルのファイル名として「ＭＥＤＩＡＳＵＢ．ＳＭＩ」、タイトルとして当該副管理情報ファイルに係るサブフォルダのフォルダ名「平成１４年」、当該副管理情報ファイルのリンク元となる親管理情報ファイルへのリンクとして「．．￥ＭＥＤＩＡＳＵＢ．ＳＭＩ」、及び当該副管理情報ファイルに係るサブフォルダ「平成１４年」下の階層のみに属するファイルに関する情報（ここではファイル名）として動画像（Ｍｏｖｉｅ）に係る「Ｐ９２６０００１．ＭＯＶ」が記述されている。
【００６９】
同図(d) は、サブフォルダ「平成１５年」に係る副管理情報ファイルである「ＭＥＤＩＡＳＵＢ．ＳＭＩ」に記述されている内容を示した図であり、前述の第２の動作が行われることによって追加されたものである。
同図(d) に示したように、この副管理情報ファイルには、当該副管理情報ファイルのファイル名として「ＭＥＤＩＡＳＵＢ．ＳＭＩ」、タイトルとして当該副管理情報ファイルに係るサブフォルダのフォルダ名「平成１５年」、当該副管理情報ファイルのリンク元となる親管理情報ファイルへのリンクとして「．．￥ＭＥＤＩＡＳＵＢ．ＳＭＩ」、及び当該副管理情報ファイルに係るサブフォルダ「平成１５年」下の階層のみに属するファイルに関する情報（ここではファイル名）として音声付静止画像（Ｓｔｉｌｌ  ｗｉｔｈ  Ａｕｄｉｏ）に係る「Ｐ９２８０００１．ＪＰＧ」と「Ｐ９２８０００１．ＷＡＶ」とが記述されている。
【００７０】
尚、図１１に示した主管理情報ファイルにおいて、記述された副管理情報ファイルへのリンクは、前述の図７(a),(b)を用いて説明したものと同様に、ストレージ２が、当該リンクに基づいて、当該リンクを展開した内容に置き換えて記述することができ、更に、その内容を図１０に示した「Ｆｉｌｅ  ＩＤ」に置き換えて記述することもできるようになっている。
【００７１】
続いて、第２の動作の内容を、図１３(a),(b) 、図１４(a),(b),(c),(d) 、図１５(a),(b) 、図１６(a),(b),(c) 、図１７(a),(b) 、図１８(a),(b) 、図１９(a),(b) 、図２０(a),(b) 、図２１(a),(b) 、及び図２２を用いて具体的に説明する。
図１３(a),(b) は、第２の動作の一部であって、コピー先選択に係る動作であるフォルダ作成・選択（２）の動作を示すフローチャートであり、同図(a) はＤＳＣ１側の動作を示し、同図(b) はストレージ２側の動作を示している。
【００７２】
まず、同図(a) を用いて、ＤＳＣ１側の動作を説明する。
本動作では、はじめに、ストレージ２に対しフォルダリスト要求コマンドやフォルダ情報要求コマンドを送信して問い合わせを行い、その応答として、ストレージ２からフォルダリストやフォルダ情報を受信し、それらに基づいて、画像記憶部１８のルートフォルダ下の階層のフォルダ（フォルダ名）とその他の選択項目をＬＣＤ２４に表示する（Ｓ１３）。
【００７３】
ここで、フォルダリスト要求コマンドの一例を図１４(a),(c) に示し、その応答の一例を同図(b),(d) に示す。また、フォルダ情報要求コマンドの一例を図１５(a) に示し、その応答の一例を同図(b) に示す。また、ルートフォルダ下の階層のフォルダとその他の選択項目が表示されたＬＣＤ２４の表示画面の一例を図１６(a) に示す。
【００７４】
図１４(a) は、ルートフォルダ下の階層のフォルダリストを要求するコマンドを示し、同図(b) は、その応答であるフォルダリストを示している。また、同図(c) は、同図(b) のフォルダリストにある「１００００００６」（「運動会」）下の階層のフォルダリストを要求するコマンドを示し、同図(d) は、その応答であるフォルダリストを示している。図１５(a) は、図１４(b) のフォルダリストにある「１００００００２」（「入学式」）のフォルダ情報を要求するコマンドを示し、図１５(b) は、その応答であるフォルダ情報を示している。図１６(a) は、図１４(b) のフォルダリストと図１５(b) のフォルダ情報等を基にＬＣＤ２４に表示されたルートフォルダ下の階層のフォルダとその他の選択項目を示している。
【００７５】
Ｓ１３の処理が行われた後は、続いて、ユーザの選択指示により、ＬＣＤ２４に表示されているフォルダ等の中から特定のフォルダが選択されたか否かを判定する（Ｓ１４）。ここで、ユーザの選択指示は、上下左右ボタン２５及びＯＫボタン２６の操作により行われる。
【００７６】
Ｓ１４の判定結果がＹｅｓの場合には、ストレージ２に対し、Ｓ１４で選択されたフォルダを作業フォルダとして選択させる作業フォルダ選択指示コマンドを送信し（Ｓ１５）、そして、その応答としてストレージ２から選択終了の通知を受信し、本フローを終了する。
【００７７】
例えば、図１６(a) の表示画面において、上下左右ボタン２５により「入学式」が指定されＯＫボタン２６が押下されると「入学式」が選択され、図１７(a) に示した、「１００００００２」（「入学式」）を作業フォルダとして選択させる作業フォルダ選択指示コマンドがストレージ２へ送信され、そして、その応答として、同図(b) に示した、選択終了の通知を受信する。尚、図１６(a) の表示画面では、上下左右ボタン２５により「運動会」が指定されＯＫボタン２６が押下されることにより、「運動会」下の階層のサブフォルダを選択することも可能である。
【００７８】
一方、Ｓ１４の判定結果がＮｏの場合には、続いて、ユーザのフォルダ作成指示が行われたか否かを判定し（Ｓ１６）、その判定結果がＹｅｓの場合には、ストレージ２に対し、ユーザのフォルダ作成指示に応じたフォルダを作成させ該作成させたフォルダを作業フォルダとして選択させる作業フォルダ作成・選択指示コマンドを送信し（Ｓ１７）、そして、その応答としてストレージ２から選択終了の通知を受信し、本フローを終了する。一方、Ｓ１６の判定結果がＮｏの場合には、処理がＳ１４へ戻る。
【００７９】
本例の場合は、サブフォルダ「運動会」下の階層に新規にサブフォルダ「平成１５年」を作成させ、その「平成１５年」下の階層に、画像記憶部１２に記憶されている音声付画像に係る「Ｐ７２６０００１．ＪＰＧ」と「Ｐ７２６０００１．ＷＡＶ」（図４参照）とをコピーさせるため、図１６(a) の表示画面において、まず「フォルダ作成」が指示・選択され、続けて「運動会」が指示・選択される。これにより同図(b) に示した表示画面が表示され、「運動会」下のサブフォルダ「平成１４年」とフォルダ作成に係る選択項目「フォーマット選択」，「直接入力」とが表示される。ここで、「フォーマット選択」が指示・選択されると、同図(c) に示した表示画面が表示され、選択項目となるフォーマットとして「イベント」，「年」，「年月」，「年月日」が表示される。そして、ここで「年」が指示・選択されることで、現在の年である”平成１５年”をフォルダ名とするサブフォルダを「運動会」下の階層に作成させ該作成させたサブフォルダを作業フォルダとして選択させる作業フォルダ作成・選択指示コマンドが送信される。このときの作業フォルダ作成・選択指示コマンドの一例を図１８(a) に示す。また、同図(a) のコマンドに対してストレージ２から受信する選択終了の通知の一例を同図(b) に示す。尚、図１６(b) の表示画面において、「直接入力」が指示・選択されることによって、作成させるサブフォルダのフォルダ名を直接入力することも可能である。
【００８０】
続いて、図１３(b) を用いて、ストレージ２側の動作を説明する。
本動作では、まず、ＤＳＣ１からフォルダリスト要求コマンドを受信したか否かを判定し（Ｓ１８）、その判定結果がＹｅｓの場合には、そのフォルダリスト要求コマンドに応じたフォルダリストをＤＳＣ１へ送信し（Ｓ１９）、その判定結果がＮｏの場合には、Ｓ１９をスキップする。
【００８１】
本例の場合、例えば、Ｓ１８において図１４(a) に示したフォルダリスト要求コマンドを受信したときには、同図(b) に示したフォルダリストが送信され、同図(c) に示したフォルダリスト要求コマンドを受信したときは、同図(d) に示したフォルダリストが送信される。
【００８２】
続いて、ＤＳＣ１からフォルダ情報要求コマンドを受信したか否かを判定し（Ｓ２０）、その判定結果がＹｅｓの場合には、そのフォルダ情報要求コマンドに応じたフォルダ情報をＤＳＣ１へ送信し（Ｓ２１）、その判定結果がＮｏの場合には、Ｓ２１をスキップする。
【００８３】
本例の場合、例えば、Ｓ２１において図１５(a) に示したフォルダ情報要求コマンドを受信したときには、同図(b) に示したフォルダ情報が送信される。
続いて、ＤＳＣ１から作業フォルダ選択指示コマンドを受信したか否かを判定し（Ｓ２２）、その判定結果がＹｅｓの場合には、その作業フォルダ選択指示に応じたサブフォルダを作業フォルダとして選択し（Ｓ２３）、選択終了の通知をＤＳＣ１へ送信し、本フローを終了する。
【００８４】
例えば、Ｓ２２において、図１７(a) に示した作業フォルダ選択指示コマンドを受信したときには、その指示コマンドに応じたサブフォルダ「入学式」が作業フォルダとして選択され、同図(b) に示した選択終了の通知がＤＳＣ１に送信される。
一方、Ｓ２２の判定結果がＮｏの場合には、続いて、ＤＳＣ１から作業フォルダ作成・選択指示コマンドを受信したか否かを判定し（Ｓ２４）、その判定結果がＹｅｓの場合には、その作業フォルダ作成・選択指示コマンドに応じたサブフォルダを作成し該作成したサブフォルダを作業フォルダとして選択し（Ｓ２５）、選択終了の通知をＤＳＣ１へ送信する。そして、Ｓ２５で作成されたサブフォルダ下の階層に当該サブフォルダに係る副管理情報ファイルを作成し（Ｓ２６）、当該副管理情報ファイルのリンク元となる親管理情報ファイルに当該副管理情報ファイルへのリンクを追記し（Ｓ２７）、本フローを終了する。一方、Ｓ２４の判定結果がＮｏの場合には、Ｓ１８へ戻る。
【００８５】
本例の場合、Ｓ２４では、図１８(a) に示した作業フォルダ作成・選択指示コマンドが受信されることから、その指示コマンドに応じて、「運動会」下の階層に新規にサブフォルダ「平成１５年」が作成され、その「平成１５年」が作業フォルダとして選択され、同図(b) に示した選択終了の通知がＤＳＣ１へ送信される。そして、Ｓ２６では、「平成１５年」下の階層に、前述の図１２(d) に示した副管理情報ファイルが作成され（但し、ここでは、ファイル名，タイトル，及びリンク元となる親管理情報ファイルへのリンクのみ）、Ｓ２７では、その副管理情報ファイルのリンク元となる、図１２(b) に示した親管理情報ファイルに、同図(b) の網掛部分である、その副管理情報ファイルへのリンクが追記される。
【００８６】
図１９(a),(b) は、第２の動作の残りの部分であって、選択したコピー先へ画像記憶部１３に記憶されているファイルをコピーする動作を示すフローチャートであり、同図(a) はＤＳＣ１側の動作を示し、同図(b) はストレージ２側の動作を示している。
まず、同図(a) を用いて、ＤＳＣ１側の動作を説明する。
【００８７】
本動作では、はじめに、画像記憶部１２に記憶されている画像ファイルに係る画像を、前述の図３に示したようにＬＣＤ２４に表示し、そこでユーザの画像選択指示に応じて、表示した画像の中から１つ又は複数の画像を選択する（Ｓ２８）。
本例の場合は、画像記憶部１２に記憶されている音声付画像に係る「Ｐ７２６０００１．ＪＰＧ」と「Ｐ７２６０００１．ＷＡＶ」（図４参照）をコピーするため、「Ｐ７２６０００１．ＪＰＧ」に係る画像が選択される。
【００８８】
続いて、上下左右ボタン２５とＯＫボタン２６の操作によりコピーボタン２７（図３参照）が押下されると、Ｓ２８で選択された画像に係る画像リストを付したコピー命令コマンドをストレージ２へ送信する（Ｓ２９）。
本例の場合は、図２０(a) に示した、「Ｐ７２６０００１．ＪＰＧ」に係る画像リストを付したコピー命令コマンドがストレージ２へ送信される。但し、本例のように、選択された画像が音声付画像の場合には、当該選択された画像に係る画像ファイル「００００００１１」（「Ｐ７２６０００１．ＪＰＧ」）と、これに関連する音声ファイル「００００００１２」（「Ｐ７２６０００１．ＷＡＶ」）とに関する画像リストが付されることになる。
【００８９】
コピー命令コマンドが送信されると、続いて、ストレージ２からファイル情報要求コマンドを受信したか否かを判定し（Ｓ３０）、その判定結果がＹｅｓの場合には、ファイル情報要求コマンドに応じたファイル情報をストレージ２へ送信し（Ｓ３１）、その判定結果がＮｏの場合には、Ｓ３１をスキップする。
【００９０】
本例の場合、例えば、Ｓ３０において図２１(a) に示したファイル情報要求コマンドを受信したときには、同図(b) に示した「００００００１１」（「Ｐ７２６０００１．ＪＰＧ」）に関するファイル情報（ファイル名等）がストレージ２へ送信される。
続いて、ストレージ２からファイル要求コマンドを受信したか否かを判定し（Ｓ３２）、その判定結果がＹｅｓの場合には、ファイル要求コマンドに応じたファイルをストレージ２へ送信し（Ｓ３３）、その判定結果がＮｏの場合には、Ｓ３４をスキップする。
【００９１】
本例の場合、例えば、Ｓ３２において図２２に示したファイル要求コマンドを受信したときには、「００００００１１」（「Ｐ７２６０００．ＪＰＧ」）がストレージ２へ送信される。
続いて、ストレージ２からコピー終了通知を受信したか否かを判定し（Ｓ３４）、その判定結果がＹｅｓの場合には、本フローを終了し、その判定結果がＮｏの場合には、Ｓ３０へ戻る。
【００９２】
ここで、図２０(a) のコピー指示コマンドに対するコピー終了通知の一例を同図(b) に示す。
続いて、図１９(b) を用いて、ストレージ２側の動作を説明する。
本動作では、まず、前述のＳ２９でＤＳＣ１から送信された画像リストが付されたコピー命令コマンドを受信すると、その画像リストにある一のファイルのファイル情報を要求するファイル情報要求コマンドをＤＳＣ１へ送信し、その応答として、対応するファイル情報をＤＳＣ１から受信する（Ｓ３５）。
【００９３】
本例の場合、図２０(a) のコピー命令コマンドを受信すると、例えば、図２１(a) のファイル情報要求コマンドがＤＳＣ１へ送信され、その応答として、同図(b) のファイル情報をＤＳＣ１から受信する。
続いて、Ｓ３５で受信したファイル情報に係るファイルを要求するファイル要求コマンドをＤＳＣ１へ送信し、その応答として、対応するファイルをＤＳＣ１から受信する（Ｓ３６）。
【００９４】
本例の場合、例えば、図２２のファイル要求コマンドがＤＳＣ１へ送信され、その応答として、対応する「Ｐ７２６０００１．ＪＰＧ」を受信する。
続いて、前述の図１３(b) のＳ２３又はＳ２５で選択された作業フォルダ下の階層に、Ｓ３６で受信したファイルを保存する（Ｓ３７）。
【００９５】
本例の場合、作業フォルダとして選択された「平成１５年」下の階層に、例えば前述の「Ｐ７２６０００１．ＪＰＧ」が保存される。
続いて、作業フォルダに係る副管理情報ファイルに、Ｓ３７で保存されたファイルのファイル名が追記される（Ｓ３８）。
【００９６】
本例の場合、図１２(d) に示したように、作業フォルダである「平成１５年」に係る副管理情報ファイルに、Ｓ３７で保存されたファイルのファイル名である、例えば「Ｐ７２６０００１．ＪＰＧ」が記述される。
続いて、画像リストにある全てのファイルについて、コピーが終了したか否かを判定し（Ｓ３９）、その判定結果がＹｅｓの場合には、コピー終了通知をＤＳＣ１に送り（Ｓ４０）、本フローが終了する。
【００９７】
本例の場合、Ｓ４０では、図２０(b) に示したコピー終了通知がＤＳＣ１へ送信される。
一方、Ｓ３９の判定結果がＮｏの場合には、Ｓ３５へ戻り、画像リストにある残りのファイルについて、前述のＳ３５乃至Ｓ３８の処理を繰り返す。
【００９８】
本例の場合、例えば、画像リストにある「００００００１２」（「Ｐ７２６０００１．ＷＡＶ」）のコピーが終了していない場合には、続いて、「００００００１２」についてのＳ３５乃至Ｓ３８の処理が行われることになる。
このように、第２の動作が行われることによって、コピー先のフォルダに係る管理情報ファイルに、コピーされたファイルに関する情報が追記され、また、その管理情報ファイルのリンク元となる親管理情報ファイルに、その管理情報ファイルへのリンクが追記される。
【００９９】
次に、管理情報ファイルを用いたファイル管理に係る動作の一つである第３の動作として、ストレージ２の画像記憶部１８に記憶されている画像ファイルに係る画像をＤＳＣ１のＬＣＤ２４に表示させる場合の動作について、図２３(a),(b) 、図２４(a),(b) 、及び図２５を用いて説明する。
【０１００】
本動作では、図１０に示した、画像記憶部１８に記憶されている画像ファイル（静止画像，動画像，及び音声付画像に係る画像ファイル）に係る画像を表示させる場合の動作を例に説明する。
図２３(a),(b) は、その表示動作を示すフローチャートであり、同図(a) は、ＤＳＣ１側の動作を示し、同図(b) は、ストレージ２側の動作を示している。
【０１０１】
まず、同図(a) を用いて、ＤＳＣ１側の動作を説明する。
本動作では、はじめに、ストレージ２の画像記憶部１８の管理情報を要求する管理情報要求コマンドをストレージ２へ送信し、その応答となる管理情報として、画像記憶部１８に記憶されている主管理情報ファイル（図１１参照）に記述されている副管理情報ファイルへのリンクを展開した内容に関する情報をストレージ２から受信する（Ｓ４１）。
【０１０２】
ここで、管理情報要求コマンドの一例を図２４(a) に示し、同図(a) の応答となる、画像記憶部１８に記憶されている主管理情報ファイル（図１１参照）に記述されている副管理情報ファイルへのリンクを展開した内容に関する情報の一例を図２４(b) に示す。
尚、本例では、ストレージ２から取得する管理情報を、管理情報要求コマンドの応答として取得しているが、例えば、ファイルとして取得することも可能である。
【０１０３】
Ｓ４１で管理情報を取得すると、続いて、取得した管理情報に含まれる一つのＦｉｌｅ  ＩＤに係るファイル情報（ファイル名等）を要求するファイル情報要求コマンドをストレージ２へ送信し、その応答として、対応するファイル情報をストレージ２から受信し、Ｓ４１で取得した管理情報の、対応するＦｉｌｅ  ＩＤを、そのファイル情報に含まれるファイル名に置き換える（Ｓ４２）。
【０１０４】
続いて、Ｓ４２でファイル情報を取得したＦｉｌｅ  ＩＤに係る画像ファイルを要求するファイル要求コマンドをストレージ２へ送信し、その応答として、対応する画像ファイルをストレージ２から受信する（Ｓ４３）。
続いて、Ｓ４２で取得したファイル情報に含まれるファイル名とＳ４３で取得した画像ファイルに係る画像等をＬＣＤ２４に表示する（Ｓ４４）。
【０１０５】
続いて、Ｓ４１で取得した管理情報に含まれる、全てのＦｉｌｅ  ＩＤについて、前述のＳ４２乃至Ｓ４４の処理を終了したか否かを判定し（Ｓ４５）、その判定結果がＹｅｓの場合には、本フローを終了し、その判定結果がＮｏの場合には、Ｓ４２へ戻り、残りのＦｉｌｅ  ＩＤのそれぞれについて、Ｓ４２乃至Ｓ４４の処理を繰り返す。
【０１０６】
続いて、図２３(b) を用いて、ストレージ２側の動作を説明する。
本動作では、まず、ＤＳＣ１から管理情報要求コマンドを受信したか否かを判定し（Ｓ４６）、その判定結果がＹｅｓの場合には、その管理情報要求コマンドの応答として、画像記憶部１８に記憶されている主管理情報ファイル（図１１参照）に記述されている副管理情報ファイルへのリンクを展開し、該リンクを展開した内容に関する情報をＤＳＣ１へ送信し（Ｓ４７）、その判定結果がＮｏの場合には、Ｓ４７をスキップする。
【０１０７】
本例の場合、図２４(a) の管理情報要求コマンドを受信すると、その応答として、同図(b) の管理情報が送信される。
続いて、ＤＳＣ１からファイル情報要求コマンドを受信したか否かを判定し（Ｓ４８）、その判定結果がＹｅｓの場合には、そのファイル情報要求コマンドに応じたファイル情報をＤＳＣ１へ送信し（Ｓ４９）、その判定結果がＮｏの場合には、Ｓ４９をスキップする。
【０１０８】
続いて、ＤＳＣ１からファイル要求コマンドを受信したか否かを判定し（Ｓ５０）、その判定結果がＹｅｓの場合には、そのファイル要求コマンドに応じた画像ファイルをＤＳＣ１へ送信して（Ｓ５１）Ｓ４８へ戻り、その判定結果がＮｏの場合には、Ｓ５１をスキップし、Ｓ４８へ戻る。
【０１０９】
本例の場合、これらの処理が終了すると、図２５に示したＬＣＤ２４の表示画面のように、画像，画像種（静止画，動画，音声付静止画等），フォルダ名が、管理単位（管理情報ファイル単位，又はフォルダ単位でもある）で、ＬＣＤ２４に表示される。
尚、このときに、図３に示したように、画像のみを表示させるようにすることも可能である。或いは、管理単位で１つの画像のみを表示するようにし、上下左右ボタン２５とＯＫボタン２６の操作によりＬＣＤ２４に表示されているフォルダ名が選択されることによって、そのフォルダに属する画像ファイルに係る画像が、図３に示したようにＬＣＤ２４に表示されるようにすることも可能である。
【０１１０】
尚、この第３の動作において、ＤＳＣ１は、ストレージ２から画像ファイルを受信し該画像ファイルに係る画像を表示するものであったが、例えば、ストレージ２から画像ファイルに係るサムネイル画像データを受信し該サムネイル画像データに係るサムネイル画像を表示するようにすることも可能である。この場合、ストレージ２からＤＳＣ１へ送信されるデータのサイズが小さくなるので、処理をより高速に行うことができる。
【０１１１】
このように、第３の動作が行われることによって、ＤＳＣ１は、ストレージ２から取得する管理情報として、主管理情報ファイルに記述されている副管理情報ファイルへのリンクを展開した内容に関する情報を取得することができるので、リンクを展開するためにストレージ２との間で副管理情報ファイルを取得するためのデータの送受信を行う必要がなくなって管理情報の取扱いが容易になり、また、リンクが展開された管理情報を取得するまでの処理時間を短縮することができる。
【０１１２】
尚、これに対し、ＰＣ６，７が画像記憶部１２，１８にアクセスする場合には、ファイル管理部１３，１９を介さずに直接に画像記憶部１２，１８を制御するものであるので、リンクが展開されていない管理情報を用いることになるが、ＰＣ６，７は高機能であり高速処理が可能であることから、高速かつ容易にリンクを展開することが可能であり、特に問題はない。
【０１１３】
次に、管理情報ファイルを用いたファイル管理に係る動作の一つである第４の動作として、ＤＳＣ１がストレージ２に対しファイナライズ処理を要求したときに行われる動作について、図２６(a),(b) 、及び図２７(a),(b) を用いて説明する。
尚、ファイナライズ処理（単にファイナライズとも呼ばれる）とは、ＣＤ−ＲやＣＤ−ＲＷ等の記録媒体を、ＣＤ−ＲＯＭドライブ装置やＣＤ−Ｒ／ＲＷドライブ装置等の記憶制御装置で可読可能に（互換性を有するように）させるために行われる処理のことをいい、このファイナライズ処理が行われると、その後、その記録媒体に対し追記や変更ができなくなる。
【０１１４】
そこで、第４の動作では、ファイナライズ処理が要求されたときに、画像記憶部（ここではＣＤ−ＲＷとする）１８に記憶されている主管理情報ファイルに記述されている副管理情報ファイルへのリンクを当該リンクを展開した内容に変更した上でファイナライズ処理を行うようにし、以降、主管理情報ファイルを参照する際に、リンクを展開する必要性を無くし、管理情報の参照をより高速に行えるようにしている。
【０１１５】
図２６(a),(b) は、第４の動作である、ＤＳＣ１がストレージ２に対しファイナライズ処理を要求したときに行われる動作を示すフローチャートであり、同図(a) はＤＳＣ１側の動作を示し、同図(b) はストレージ２側の動作を示している。
まず、同図(a) を用いて、ＤＳＣ１側の動作を説明する。
【０１１６】
本動作では、はじめに、ファイナライズ要求コマンドをストレージ２へ送信する（Ｓ５２）。
ここで、ファイナライズ要求コマンドの一例を図２７(a) に示す。
ファイナライズ要求コマンドを送信すると、続いて、ストレージ２からファイナライズ終了通知を受信したか否かを判定し（Ｓ５３）、その判定結果がＹｅｓの場合には本フローを終了し、Ｎｏの場合には本判定処理を繰り返す。
【０１１７】
ここで、ファイナライズ終了通知の一例を同図(b) に示す。
続いて、図２６(b) を用いて、ストレージ２側の動作を説明する。
本動作では、ＤＳＣ１からファイナライズ要求コマンドを受信すると、まず、画像記憶部１８に記憶されている主管理情報ファイルに記述されている副管理情報ファイルへのリンクを展開し、副管理情報ファイルへのリンクを当該リンクを展開した内容に変更して保存する（Ｓ５４）。
【０１１８】
ここで、ファイナライズ要求コマンドの一例は図２７(a) に示したとおりである。
続いて、画像記憶部１８に対し、以降、データの追加，削除，変更をできなくさせる、前述のファイナライズ処理を行い（Ｓ５５）、このファイナライズ処理を終了するとファイナライズ終了通知をＤＳＣ１へ送信し（Ｓ５６）、本フローを終了する。
【０１１９】
ここで、ファイナライズ終了通知の一例は同図(b) に示したとおりである。
このように、第４の動作が行われることによって、主管理情報ファイルに記述されている副管理情報ファイルへのリンクを当該リンクを展開した内容に変更した上でファイナライズ処理が行われるようになるので、以降、主管理情報ファイルを参照した際にリンクを展開する必要がなくなり、管理情報の参照をより高速に行うことができる。リンクを展開した例は、図７(a) や図２４(b) となる。この時、展開前のリンク情報を残しても良い。残しておくことで、他の記録再生装置にコピーを行ったときに、容易に元のリンク形式の管理情報ファイルを再作成することができる。
【０１２０】
次に、管理情報ファイルを用いたファイル管理に係る動作の一つである第５の動作として、ＤＳＣ１の画像記憶部１２に記憶されているファイルを他のサブフォルダへ移動する場合の動作について説明する。
尚、本説明では、説明の便宜のため、まず、第５の動作が行われた結果を説明し、続いて、第５の動作の内容を具体的に説明する。
【０１２１】
図２８は、図４に示した、画像記憶部１２に記憶されている、ルートフォルダ下の階層にある「Ｐ７２４０００１．ＪＰＧ」を、サブフォルダ「１００ＯＬＹＭＰ」下の階層に移動させるべく第５の動作が行われた結果のファイルの階層構造を示した図である。
図２８において、網掛部分は、移動対象となった画像ファイルを示している。
【０１２２】
図２９は、本動作後の主管理情報ファイルである「ＭＥＤＩＡ．ＭＭＩ」に記述されている内容を示した図である。
同図に示したように、「Ｐ７２４０００１．ＪＰＧ」が移動したことに伴って、本動作前の主管理情報に記述されていた内容（図５参照）から、「Ｐ７２４０００１．ＪＰＧ」に関する情報が削除されている。
【０１２３】
図３０は、本動作後のサブフォルダ「１００ＯＬＹＭＰ」に係る副管理情報ファイル「１００ＯＬＹＭＰ．ＳＭＩ」に記述されている内容を示した図である。
同図に示したように、「Ｐ７２４０００１．ＪＰＧ」が移動したことに伴って、本動作前の副管理情報に記述されていた内容（図６(b) 参照）に、「Ｐ７２４０００１．ＪＰＧ」に関する情報（図３０の網掛部分）が追加されている。
【０１２４】
続いて、第５の動作の内容を、図３１及び図３２(a),(b) を用いて具体的に説明する。
図３１は、第５の動作である移動動作を示すフローチャートであり、図３２(a),(b) は、本動作中にＬＣＤ２４に表示される表示画面の一例を示した図である。
本動作では、まず、移動対象となるファイルを選択させるために、画像記憶部１２上のフォルダの一覧をＬＣＤ２４に表示する（Ｓ５７）。
【０１２５】
ここで、ＬＣＤ２４に表示されたフォルダの一覧の一例を図３２(a) に示す。
続いて、上下左右ボタン２５及びＯＫボタン２６の操作により、表示されているフォルダの中から一のフォルダが選択されたか否かを判定し（Ｓ５８）、その判定結果がＹｅｓの場合には、選択されたフォルダ下の階層に属する画像ファイルに係る画像を表示し（Ｓ５９）、その判定結果がＮｏの場合には、本判定処理を繰り返す。
【０１２６】
続いて、上下左右ボタン２５及びＯＫボタン２６の操作により、表示されている画像の中から画像が選択されると（Ｓ６０）、続いて、ファイルの移動指示が為されたか否かを判定し（Ｓ６１）、その判定結果がＹｅｓの場合には、移動先となり得る画像記憶部１２上のフォルダの一覧をＬＣＤ２４に表示し（Ｓ６２）、Ｓ６１の判定結果がＮｏの場合には、Ｓ６０へ戻る。
【０１２７】
ここで、ＬＣＤ２４に表示された移動先となり得るフォルダの一覧の一例を図３２(b) に示す。また、ファイルの移動指示は、図３に示したＬＣＤ２４に表示されたコピーボタン２７と同様に、ＬＣＤ２４に表示された移動ボタンが、上下左右ボタン２５及びＯＫボタン２６の操作によって選択されることにより行われる。
【０１２８】
Ｓ６２の後は、続いて、上下左右ボタン２５及びＯＫボタン２６の操作により、表示されているフォルダの中から一のフォルダが選択されたか否かを判定し（Ｓ６３）、その判定結果がＹｅｓの場合には、選択されたフォルダ下の階層へＳ６０で選択された画像に係る画像ファイルを移動し（Ｓ６４）、その判定結果がＮｏの場合には、本判定処理を繰り返す。
【０１２９】
本例の場合、移動先となるフォルダは「１００ＯＬＹＭＰ」になることから、Ｓ６３では、図３２(b) において、「１００ＯＬＹＭＰ」が選択される。
Ｓ６４の後は、移動元のフォルダに係る主管理情報ファイル又は副管理情報ファイル）に記述されている内容から、移動した画像ファイルに関する情報が削除される（Ｓ６５）。
【０１３０】
本例の場合、移動元のフォルダであるルートフォルダに係る主管理情報ファイル「ＭＥＤＩＡ．ＭＭＩ」に記述されている内容から、移動した画像ファイル「Ｐ７２４０００１．ＪＰＧ」に関する情報が削除される。
Ｓ６５の後は、移動先のフォルダに係る主管理情報ファイル又は副管理情報ファイルに記述されている内容に、移動した画像ファイルに関する情報を追記し（Ｓ６６）、本フローを終了する。
【０１３１】
本例の場合、移動先のフォルダであるサブフォルダ「１００ＯＬＹＭＰ」に係る副管理情報ファイル「１００ＯＬＹＭＰ．ＳＭＩ」に記述されている内容に、移動した画像ファイル「Ｐ７２４０００１．ＪＰＧ」に関する情報が追記される。
このように、第５の動作が行われることによって、移動元のフォルダに係る主管理情報ファイル又は副管理情報ファイルに記述されている内容から、移動した画像ファイルに関する情報が削除され、移動先のフォルダに係る主管理情報ファイル又は副管理情報ファイルに記述されているに内容に、移動した画像ファイルに関する情報が追記される。
【０１３２】
尚、この第５の動作では、ＤＳＣ１の画像記憶部１２内においてファイルの移動を行うものであったが、例えば、ストレージ２の画像記憶部１８内においてファイルの移動を行うようにすることも可能であり、また、ＤＳＣ１の画像記憶部１２とストレージ２の画像記憶部１８との間でファイルの移動を行うようにすることも可能である。これらの場合には、ＬＣＤ２４に、画像記憶部１２又は画像記憶部１８上のフォルダの一覧や画像記憶部１２又は画像記憶部１８に記憶されている画像ファイルに係る画像の一覧等を表示し、そこで移動元のフォルダ，移動先のフォルダ，移動対象となる画像等が選択されることで、ファイルの移動が行われる。そして、移動元のフォルダに係る主管理情報ファイル又は副管理情報ファイルに記述されている内容から、移動した画像ファイルに関する情報が削除され、移動先のフォルダに係る主管理情報ファイル又は副管理情報ファイルに記述されているに内容に、移動した画像ファイルに関する情報が追記される。
【０１３３】
また、この第５の動作では、ファイルの移動を行うものであったが、ファイルの移動と同様に、フォルダの移動を行うようにすることも可能である。この場合には、移動元となるフォルダ（移動対象となるフォルダが属するフォルダ）に係る主管理情報ファイル又は副管理情報ファイルに記述されている内容から、移動対象となるフォルダに関する情報が削除され、移動先となるフォルダに係る主管理情報ファイル又は副管理情報ファイルに記述されている内容に、移動対象となるフォルダに関する情報が追記される。
【０１３４】
以上、本実施例によれば、ルートフォルダに対応して主管理情報ファイルが作成され、サブフォルダに対応して副管理情報ファイル（結合管理情報ファイルも含む）が作成され、各管理情報ファイルには、リンク先の管理情報ファイルへのリンクが記述されるものの、そのリンク先の管理情報ファイルに記述されているファイルに関する情報は記述されないようになるので、各管理情報ファイルのサイズを小さくすることができる。従って、ワーキングメモリのサイズが小さいＤＳＣ等の装置であっても、管理情報ファイルのサイズがワーキングメモリのサイズを超えることはなく、ファイル管理に係る処理を高速かつ容易に行うことができる。
【０１３５】
また、各管理情報ファイル間で、ファイルに関する情報の重複が無いので、ファイルの追加又は削除に伴う管理情報ファイルの変更は、追加又は削除されたファイルが属していたフォルダに係る管理情報ファイルの内容を変更するだけで良いので、管理情報ファイル間で不整合が生じるのを防止することができる。
【０１３６】
尚、本実施例では、各管理情報ファイルを各フォルダ下の階層に設けているが、対応関係にある管理情報ファイルとフォルダとにおいて、そのファイル名とそのフォルダ名とを同一とした場合には、各管理情報ファイルを、ルートフォルダ下や特定のサブフォルダ下に設けるようにすることも可能である。このように各管理情報を同一のフォルダ下に設けることで、複数の管理情報ファイルを同時に又は切り替えて使用する場合等に管理情報ファイルの検索が容易になる。
【０１３７】
また、本実施例において、各フォルダに係る各管理情報ファイルのファイル名を全て同一とすることも可能である。このようにすることで、何れのフォルダにおいても同一のファイル名の管理情報ファイルを検索すれば良くなり、管理情報ファイルの検索が容易になる。この場合、親管理情報ファイルに記述される副管理情報ファイルへのリンクとして、その副管理情報ファイルに係るフォルダのフォルダ名を記述することも可能である。
【０１３８】
また、本実施例では、フォルダ毎に管理情報ファイルを作成したが、ファイル種類毎に管理情報ファイルを作成することも可能である。
ここで、ファイル種類毎に管理情報ファイルを作成した場合の、画像記憶部１２に記憶されているファイルの階層構造の一例を図３３に示す。
【０１３９】
同図において、「ＭＥＤＩＡ．ＭＭＩ」は、主管理情報ファイルを示し、「ＳＴＩＬＬ．ＳＭＩ」は、静止画像ファイルに係る副管理情報ファイルを示し、「ＳＴＬＡＵＤＩＯ．ＳＭＩ」は、音声付画像に関するファイルに係る副管理情報ファイルを示し、「ＭＯＶＩＥ．ＳＭＩ」は、動画像ファイルに係る副管理情報ファイルを示している。
【０１４０】
また、これらの管理情報ファイルに記述されている内容の一例を図３４(a),(b),(c),(d) に示す。
同図(a) は、主管理情報ファイルである「ＭＥＤＩＡ．ＭＭＩ」に記述されている内容を示した図である。同図(a) に示したように、この主管理情報ファイルには、リンク先となる副管理情報ファイルへのリンクとして、「ＳＴＩＬＬ．ＳＭＩ」，「ＳＴＬＡＵＤＩＯ．ＳＭＩ」，「ＭＯＶＩＥ．ＳＭＩ」が記述されている。
【０１４１】
同図(b) は、副管理情報ファイルである「ＳＴＩＬＬ．ＳＭＩ」に記述されている内容を示した図である。同図(b) に示したように、この副管理情報ファイルには、静止画像ファイルに関する情報が記述されている。
同図(c) は、副管理情報ファイルである「ＳＴＬＡＵＤＩＯ．ＳＭＩ」に記述されている内容を示した図である。同図(c) に示したように、この副管理情報ファイルには、音声付画像に係るファイルに関する情報が記述されている。
【０１４２】
同図(d) は、副管理情報ファイルである「ＭＯＶＩＥ．ＳＭＩ」に記述されている内容を示した図である。同図(d) に示したように、この副管理情報ファイルには、動画像ファイルに関する情報が記述されている。
このように、ファイル種類毎に管理情報ファイルを作成することも可能である。また、ファイル種類毎に限らず、撮影モード毎、撮影機種毎（ＤＳＣ等の装置が自動設定）、撮影対象毎（ユーザが設定）等に、管理情報ファイルを作成することも可能である。
【０１４３】
また、本実施例では、主管理情報ファイルに、リンク先となる副管理情報ファイルへのリンクが記述されているが、併せて、リンク先となる副管理情報ファイルのタイトルを記述するようにすることも可能である。このようにすることで、主管理情報ファイルのリンク先となる副管理情報ファイルをタイトルで表示するような場合に、主管理情報ファイルのみを参照すれば良くなり、リンク先となる副管理情報ファイルを参照する必要が無いので、処理をより高速に行うことができる。
【０１４４】
また、本実施例では、フォルダ作成時に副管理情報ファイルを作成したが、フォルダ下の階層に最初にファイルを保存したときに副管理情報ファイルを作成するようにすることも可能である。
また、本実施例では、主管理情報ファイルの作成時期については特に言及していないが、画像記憶部（１２又は１８）の初期化時、画像記憶部の最初の認識時、或いは、ルートフォルダに最初にファイルやフォルダが作成された時等に作成することが可能である。
【０１４５】
以上、本発明について詳細に説明したが、本発明は上記実施形態に限定されず、本発明の要旨を逸脱しない範囲において、各種の改良及び変更を行っても良いのはもちろんである。
【図面の簡単な説明】
【０１４６】
【図１】本発明の一実施例に係るシステムの構成例を示した図である。
【図２】ＤＳＣとストレージのブロック図である。
【図３】ＤＳＣの背面外観図である。
【図４】第１の動作が行われた後のＤＳＣの画像記憶部に記憶されているファイルの階層構造を示した図である。
【図５】主管理情報ファイルに記述されている内容を示した図である。
【図６】(a),(b),(c),(d) は副管理情報ファイルに記述されている内容を示した図、(e) は結像管理情報ファイルに記述されている内容を示した図である。
【図７】(a),(b) は、主管理情報ファイルの他の記述例を示した図である。
【図８】(a) はフォルダ作成・選択（１）の動作を示すフローチャートであり、(b),(c) はＬＣＤに表示される表示画面の一例を示した図である。
【図９】撮影動作を示すフローチャートである。
【図１０】第２の動作が行われた後のストレージの画像記憶部に記憶されているファイルの階層構造を示した図である。
【図１１】主管理情報ファイルに記述されている内容を示した図である。
【図１２】(a),(b),(d),(d) は、副管理情報ファイルに記述されている内容を示した図である。
【図１３】(a),(b) はフォルダ作成・選択（２）の動作を示すフローチャートである。
【図１４】(a),(c) はフォルダリスト要求コマンドの一例を示した図、(b),(d)はその応答の一例を示した図である。
【図１５】(a) はフォルダ情報要求コマンドの一例を示した図、(b) はその応答の一例を示した図である。
【図１６】(a),(b),(c) はＬＣＤの表示画面の一例を示した図である。
【図１７】(a) は作業フォルダ選択指示コマンドの一例を示した図、(b) はその応答である選択終了の通知の一例を示した図である。
【図１８】(a) は作業フォルダ作成・選択指示コマンドの一例を示した図、(b) はその応答である選択終了の通知の一例を示した図である。
【図１９】(a),(b) は、コピー先へファイルをコピーする動作を示すフローチャートである。
【図２０】(a) はコピー命令コマンドの一例を示した図、(b) はそれに対するコピー終了通知の一例を示した図である。
【図２１】(a) はファイル情報要求コマンドの一例を示した図、(b) はその応答であるファイル情報の一例を示した図である。
【図２２】ファイル要求コマンドの一例を示した図である。
【図２３】(a),(b) は表示動作を示すフローチャートである。
【図２４】(a) は管理情報要求コマンドの一例を示した図、(b) はその応答となる管理情報の一例を示した図である。
【図２５】ＬＣＤの表示画面の一例を示した図である。
【図２６】(a),(b) は、ＤＳＣがストレージに対しファイナライズ処理を要求したときに行われる動作を示すフローチャートである。
【図２７】(a) はファイナライズ要求コマンドの一例を示した図、(b) はそれに対するファイナライズ終了通知の一例を示した図である。
【図２８】第５の動作が行われた後のＤＳＣの画像記憶部に記憶されているファイルの階層構造を示した図である。
【図２９】第５の動作後の主管理情報ファイルに記述されている内容を示した図である。
【図３０】第５の動作後の副管理情報ファイル「１００ＯＬＹＭＰ．ＳＭＩ」に記述されている内容を示した図である。
【図３１】ファイルの移動動作を示すフローチャートである。
【図３２】(a),(b) は、ＬＣＤの表示画面の一例を示した図である。
【図３３】ファイル種類毎に管理情報ファイルを作成した場合の、ＤＳＣの画像記憶部に記憶されているファイルの階層構造の一例を示した図である。
【図３４】(a) は主管理情報ファイルに記述されている内容を示した図、(b),(c),(d) は副管理情報ファイルに記述されている内容を示した図である。
【符号の説明】
【０１４７】
１      ＤＳＣ
２      ストレージ
３、４、５  Ｉ／Ｆ
６、７  ＰＣ
８      ＲＯＭ
９      ＣＰＵ
１０    ＲＡＭ
１１    ＬＣＤ部
１２    画像記憶部
１３    ファイル管理部
１４    選択／決定ボタン部
１５    ＲＯＭ
１６    ＣＰＵ
１７    ＲＡＭ
１８    画像記憶部
１９    ファイル管理部
２０    レリーズボタン
２１    ダイヤルスイッチ
２２    ファインダー部
２３    パワーボタン
２４    ＬＣＤ
２５ａ、２５ｂ、２５ｃ、２５ｄ  上下左右ボタン
２６    ＯＫボタン
２７    コピーボタン
２８    設定ボタン
【図１】
2005173853.tif 000003
【図２】
2005173853.tif 000004
【図３】
2005173853.tif 000005
【図４】
2005173853.tif 000006
【図５】
2005173853.tif 000007
【図６】
2005173853.tif 000008
【図７】
2005173853.tif 000009
【図８】
2005173853.tif 000010
【図９】
2005173853.tif 000011
【図１０】
2005173853.tif 000012
【図１１】
2005173853.tif 000013
【図１２】
2005173853.tif 000014
【図１３】
2005173853.tif 000015
【図１４】
2005173853.tif 000016
【図１５】
2005173853.tif 000017
【図１６】
2005173853.tif 000018
【図１７】
2005173853.tif 000019
【図１８】
2005173853.tif 000020
【図１９】
2005173853.tif 000021
【図２０】
2005173853.tif 000022
【図２１】
2005173853.tif 000023
【図２２】
2005173853.tif 000024
【図２３】
2005173853.tif 000025
【図２４】
2005173853.tif 000026
【図２５】
2005173853.tif 000027
【図２６】
2005173853.tif 000028
【図２７】
2005173853.tif 000029
【図２８】
2005173853.tif 000030
【図２９】
2005173853.tif 000031
【図３０】
2005173853.tif 000032
【図３１】
2005173853.tif 000033
【図３２】
2005173853.tif 000034
【図３３】
2005173853.tif 000035
【図３４】
2005173853.tif 000036